(57)【特許請求の範囲】
【請求項１】
複数の柱の間を横架材によって連結し、四角形の平面を有する床材支持枠を形成すると共に、前記床材支持枠の上面に略四角形の切欠きを設け、通し柱に連結される横架材の交点の側面に構造用パネルの隅角部を受ける補助受けを設け、該補助受けの上面及び前記切欠きの中に前記構造用パネルの全周を嵌め込んで周縁部を支持し、前記床材支持枠の上面と前記構造用パネルの上面が略同一の高さとなっている木造建築における床板の支持構造。
【請求項２】
請求項１において、前記構造用パネルの周縁部には、通し柱に対応する隅角部に切欠きが形成してある木造建築における床板の支持構造。
【請求項３】
請求項１において、前記柱のうち、継ぎ柱には構造用パネルの隅角部に対応する隅角に凹部が形成してある木造建築における床板の支持構造。
【発明の詳細な説明】
【０００１】
【産業上の利用分野】
この発明は、木造建築において、２階の床板を支持するのに好適な床梁構造に関するものである。
【０００２】
【従来の技術】
従来、２階の床は、図８で示すように、柱Ｐによって支持された胴差や根太などの太い横架材Ｌの間に床ばりＢを支持し、その上に構造用面板からなる床下地材Ｃを取り付けた上、さらにその上面に床仕上材（図示してない）を貼着して仕上げてある。そこでは、床下地材Ｃは横架材Ｌに対して釘打ちすることによって位置決めされると同時に固定されている。
他方、二階建ての木造建築では、二階の床は建築のなるべ早い過程で組み付けることが、屋根の工事を行ったり、上棟の儀式を行う上で好ましい。特に、棟上げ作業では、躯体骨組の組み立てと屋根を載せる作業とを一日で済ませる作業慣行のため、棟上げの当日に二階床の複雑な床工事を行うことは難しかった。
【０００３】
【発明が解決しようとする課題】
しかしながら、従来のように、床下地材Ｃを横架材Ｌの上に釘打ちして位置決めする構造では、床下地材Ｃを横架材Ｌに固定する作業を終えるのに多くの工数を要し、短時間で作業をなし遂げるのが困難であった。また、床下地材Ｃを横架材Ｌの上に載せておくだけでは、床下地材Ｃが不安定で、その上に乗ることは危険であった。
【０００４】
【課題を解決するための手段】
上記した課題は、複数の柱の間を横架材によって連結し、四角形の平面を有する床材支持枠を形成すると共に、前記床材支持枠の上面に略四角形の切欠きを設け、通し柱に連結される横架材の交点の側面に構造用パネルの隅角部を受ける補助受けを設け、該補助受けの上面及び前記切欠きの中に前記構造用パネルの全周を嵌め込んで周縁部を支持し、前記床材支持枠の上面と前記構造用パネルの上面が略同一の高さとなっていることによって解決される。
また、構造用パネルの周縁部には、通し柱に対応する隅角部に切欠きが形成してある。
さらに、前記柱のうち、継ぎ柱には構造用パネルの隅角部に対応する隅角に凹部が形成してある。
【０００５】
【作用】
床板をなす構造用パネルは床材支持枠に設けた切欠きに嵌合されゝば、切欠きによって下面を支持され、かつ、側方に対して位置決めされる。
構造用パネルの隅角を切欠くことにより、通し柱との干渉がなくなり、残りの周縁部が切欠きによって支持される。
継ぎ柱に凹部を設けることにより、構造用パネルの隅角部と継ぎ柱との干渉がなくなり、構造用パネルは残りの周縁部が切欠きによって支持される。
【０００６】
【実施例】
以下、本願発明の実施例を説明する。図１中、１０は本願の発明を利用した木造建築であり、木造建築１０は基礎１１の上に土台１２を置き、その上に継ぎ柱１３、あるいは通し柱１４などの柱が設けられ、それら柱１３、１４に胴差１６、軒桁１７など、いわゆる横架材をなす部材が支持されている。１９は土台１２によって支持された一階の床、２０は胴差１６によって支持された二階の床をそれぞれ示している。１５は前記横架材の間に形成される外壁であり、図２で示すように、外壁１５をなす外壁仕上げ材１５ａと、内面材１５ｂとの間に断熱材１５ｃが取り付けてある。
【０００７】
図２において、二階の床２０には前記胴差１６、および胴差１６に支持された二階根太２１や二階梁２２によって、平面形状が四角形をなす複数の床材支持枠１８が形成される。２３は二階の床面を形成する構造用パネルであり、前記床材支持枠１８の上に支持される。ところが、このように、構造用パネル２３の周辺を床材支持枠１８の上に載せて支持しようとすると、床材支持枠１８の隅角部に継ぎ柱１３、または通し柱１４が設けられている場合、そのまゝでは前記構造用パネルの４隅がこれと干渉する。
【０００８】
この実施例では構造用パネル２３の隅角部を切除し、あるいは柱の側面を切除して回避している。具体的には、継ぎ柱１３の部分においては柱側を切除し、通し柱１４の部分においては構造用パネル２３側を切除して回避している。また、構造用パネル２３と、これを支持する床材支持枠１８との間に凹凸を回避するため、床材支持枠１８の上面内側にはその縁に沿って所定の深さを持つ四角形の切欠き２５を形成し、構造用パネル２３を切欠き２５の中に収めることによって床上を平坦にしてある。
【０００９】
まず、切欠き２５は垂直面（鉛直方向の面）２５ａと水平面２５ｂとによって構成され、前記垂直面２５ａによって形成される内矩は、前記構造用パネル２３の外形よりやゝ大きく作られる。あるいは、構造用パネル２３の大きさが前記床材支持枠１８よりやゝ小さく加工される。また、切欠き２５は前記構造用パネル２３の厚さと略等しい深さに切削してある。そこで、構造用パネル２３を前記切欠き２５に嵌め込むことが可能となる他、嵌め込まれた構造用パネル２３は、切欠き２５の水平面２５ｂで支持され、周辺部に釘２４（図３）を打ち付けて床材支持枠１８に固定される。切欠き２５に嵌め込まれた構造用パネル２３は前記床材支持枠１８の上面と同じ高さとなる。また、構造用パネル２３は切欠き２５の垂直面２５ａによって位置決めされ、水平方向への移動が阻止される。
【００１０】
次に、構造用パネル２３と継ぎ柱１３との関係を説明する。構造用パネル２３の隅角部は加工せず四角形の隅角を残す一方、継ぎ柱１３の側に構造用パネル２３の４隅に相当する部分が切除される。これには前記切欠き２５の一部が充当されている。すなわち、継ぎ柱の一階部分１３ａは上側の端面に構造用パネル２３の隅角部を支持するための逃げ１３ｂが４隅に設けてあり、前述した切欠き２５の一部をなしている。なお、継ぎ柱１３と二階梁２２（あるいは二階根太２１）との結合は継ぎ柱１３の側面に設けたほぞ孔１３ｄと二階梁２２の端面に設けたほぞ２２ａとを嵌合させて、いわゆる、腰掛継ぎ方式で結合してある。よって、建築物の組み立てに際しては、継ぎ柱の一階部分１３ａが立てられ前記切欠き２５が出来た時点で、構造用パネル２３が嵌め込まれると、その端部は逃げ１３ｂの上で支持される。また、この部分は継ぎ柱の二階部分１３ｃが組み立てられた後には釘打ちすることができないので、こゝだけは構造用パネル２３が嵌め込まれると同時に釘２４により釘打ちしておく。
【００１１】
前記した構造用パネル２３と通し柱１４との関係を説明する。この場合は構造用パネル２３の隅角部には図４、図６（ｂ）で示すように、通し柱１４よりやゝ大きい四角形の隅角部切欠き２３ａが形成されて通し柱１４との干渉を避けている。その結果、構造用パネル２３の隅角部には支えが無くなるので、隅角部切欠き２３ａの下面には前記二階梁２２の側面に釘打ちして係止した補助受け２９が設けてある。なお、通し柱１４と胴差１６あるいは二階根太２１、あるいは二階梁２２との間は、端面に形成したほぞ２１ａを通し柱１４に設けたほぞ孔１４ａに嵌合させて結合してある。
【００１２】
以上のように、この実施例によれば、構造用パネル２３は棟上げの際、床材支持枠１８が形成された後、切欠き２５に構造用パネル２３を嵌め込めば構造用パネル２３を本格的に釘打ちして固定せずとも（継ぎ柱１３の部分を除き）、水平面２５ｂに支えられるので、上からの荷重に耐え、かつ、垂直面２５ａに支えられて水平方向の移動がないから、引き続き二階の柱工事が可能となる。さらに、二階の床を設けることによって二階の屋根工事の効率を著しく高めることができる。構造用パネル２３には棟上げの終了後、後日に全面的に釘打ちして固定を確実にし、かつ、構造用パネル２３の上面に床仕上げ材２６を貼着して仕上げを行う。
【００１３】
【発明の効果】
請求項１の発明によれば、上棟に向けて建築物の骨格を組み立てるに際し、二階の横架材によって床材支持枠が形成されゝば、直ちに構造用パネルを嵌め込むことができるから、大きな工数を要することなく比較的強度の高い床を張ることができる。また、構造用パネルは棟上げの際、床材支持枠が形成された後、切欠きに構造用パネルを嵌め込めば構造用パネルを本格的に釘打ちして固定せずとも、水平面に支えられるので、上からの荷重に耐え、かつ、垂直面に支えられて水平方向の移動がないから、引き続き二階の柱工事が可能となる。さらに、二階の床を設けることによって二階の屋根工事の効率を著しく高めることができる。
請求項２、および請求項３の発明によれば、構造用パネルを床材支持枠に支持する際に生じる、柱と構造用パネルの隅角部との干渉が回避でき、構造用パネルの周縁部を下面から床材支持枠によって支持できる。
などの効果がある。
【図面の簡単な説明】
【図１】図面は本願発明の実施例である木造建築の骨格を示す妻側から見た断面図である。
【図２】その要部の拡大断面図である。
【図３】図１中の矢視ＩＩＩ図である。
【図４】通し柱の部分を取り出して示す外観図である。
【図５】継ぎ柱の部分を取り出して示す図４相当の外観図である。
【図６】（ａ）は図２中のＶ−Ｖ断面図、（ｂ）はＶＩ−ＶＩ断面図である。
【図７】（ａ）は図６中のＡ−Ａ断面図、（ｂ）はＢ−Ｂ断面図である。
【図８】従来の二階床を取り出して示す外観図である。
【符号の説明】
１０・・・・木造建築
１１・・・・基礎
１２・・・・横架材（土台）
１３・・・・柱（継ぎ柱）
１３ａ・・・継ぎ柱の一階部分
１３ｂ・・・逃げ
１３ｃ・・・継ぎ柱の二階部分
１３ｄ・・・ほぞ孔
１４・・・・柱（通し柱）
１４ａ・・・ほぞ孔
１５・・・・外壁
１５ａ・・・外壁仕上げ材
１５ｂ・・・内面材
１５ｃ・・・断熱材
１６・・・・横架材（胴差）
１７・・・・横架材（軒桁）
１８・・・・床材支持枠
１９・・・・一階の床
２０・・・・二階の床
２１・・・・二階根太
２１ａ・・・ほぞ
２２・・・・二階梁
２２ａ・・・ほぞ
２３・・・・構造用パネル
２３ａ・・・４隅の切欠き
２４・・・・釘
２５・・・・上面の切欠き
２５ａ・・・垂直面
２５ｂ・・・水平面
２６・・・・床仕上げ材
２９・・・・補助受け
【図１】
0003936981.tif 000002
【図２】
0003936981.tif 000003
【図３】
0003936981.tif 000004
【図４】
0003936981.tif 000005
【図５】
0003936981.tif 000006
【図６】
0003936981.tif 000007
【図７】
0003936981.tif 000008
【図８】
0003936981.tif 000009